(57)【要約】【課題】機器の状態に応じて機器を制御するテレビジョン受像装置および機器制御方法する。【解決手段】テレビジョン受像装置が，映像信号を出力する機器を識別する識別情報を記憶する記憶部と，前記記憶される識別情報に基づいて，映像信号を出力する機器を選択するための機器選択画面を表示させる表示制御部と，機器が起動状態，待機状態の何れであるかを確認する確認部と，前記機器選択画面を用いて選択された機器が起動状態であることが確認された場合，前記選択された機器に映像信号の出力を指示するコマンドを送信する送信部と，を具備する。【選択図】図１
2008301232.tif 000002
【特許請求の範囲】
【請求項１】
映像信号を出力する機器を識別する識別情報を記憶する記憶部と，
前記記憶される識別情報に基づいて，映像信号を出力する機器を選択するための機器選択画面を表示させる第１の表示制御部と，
機器が起動状態，待機状態の何れであるかを確認する確認部と，
前記機器選択画面を用いて選択された機器が起動状態であることが確認された場合，前記選択された機器に映像信号の出力を指示するコマンドを送信する第１の送信部と，
を具備することを特徴とするテレビジョン受像装置。
【請求項２】
前記コマンドが，待機状態の機器に起動および映像信号の出力を指示する
ことを特徴とする請求項１記載のテレビジョン受像装置。
【請求項３】
前記機器が映像信号の入力元を切り替える切替スイッチに接続され，
前記コマンドが，前記切替スイッチに入力元の切替を指示する
ことを特徴とする請求項１または２に記載のテレビジョン受像装置。
【請求項４】
前記選択された機器が待機状態であることが確認された場合，この選択された機器を起動するか否かを選択するための起動選択画面を表示させる第２の表示制御部と，
前記起動することが選択された機器に前記コマンドを送信する第２の送信部と，
をさらに具備することを特徴とする請求項１乃至３のいずれか１項に記載のテレビジョン受像装置。
【請求項５】
前記記憶部が，前記識別情報で表される機器が待機状態の場合に，この機器を起動するか否かを表す起動情報をさらに記憶し，
前記記憶される起動情報に基づいて，前記コマンドを送信するか否かを決定する決定部と，
をさらに具備することを特徴とする請求項１乃至４のいずれか１項に記載のテレビジョン受像装置。
【請求項６】
放送番組を選局するためのチューナ，
をさらに具備することを特徴とする請求項１乃至５のいずれか１項に記載のテレビジョン受像装置。
【請求項７】
映像信号を出力する機器を識別する識別情報を記憶する記憶部の記憶内容に基づいて，映像信号を出力する機器を選択するための機器選択画面を表示させるステップと，
機器が起動状態，待機状態の何れであるかを確認するステップと，
前記機器選択画面を用いて選択された機器が起動状態であることが確認された場合，前記選択された機器に映像信号の出力を指示するコマンドを送信するステップと，
を具備することを特徴とする機器制御方法。
【発明の詳細な説明】
【技術分野】
【０００１】
本発明は，テレビジョン受像装置および機器制御方法に関する。
【背景技術】
【０００２】
テレビジョン放送を受信し表示するテレビジョン放送受信装置に関する技術が公開されている（例えば，特許文献１参照）。ここで，テレビジョン放送受信装置に種々の機器を接続する場合が有り，この接続に，例えば，HDMI（High-Definition Multimedia Interface）規格が用いられる。HDMI規格対応の機器の間では，HDMI CEC(Consumer Electronics Control)規格の信号プロトコルによって相互に通信，制御が可能となる。
【特許文献１】特開２００４−２２１７３２号公報
【発明の開示】
【発明が解決しようとする課題】
【０００３】
しかしながら，このような通信規格では必ずしも機器の状態に対応して機器の制御がなされるとは限らない。例えば，HDMI CEC規格では，機器を切り替えて用いるための切替コマンドを受信した機器が待機状態の場合，この機器を起動することが推奨されている。この場合，機器を順次に切り換えると，ユーザが最終的に選択した機器以外の機器も（切り替え処理された機器全てが）起動状態となる。この場合，ユーザは最終的に選択した機器以外の機器を待機状態とする等の処置が必要となる。
上記に鑑み，本発明は，機器の状態に応じて機器を制御するテレビジョン受像装置および機器制御方法を提供することを目的とする。
【課題を解決するための手段】
【０００４】
本発明の一態様に係るテレビジョン受像装置は，映像信号を出力する機器を識別する識別情報を記憶する記憶部と，前記記憶される識別情報に基づいて，映像信号を出力する機器を選択するための機器選択画面を表示させる表示制御部と，機器が起動状態，待機状態の何れであるかを確認する確認部と，前記機器選択画面を用いて選択された機器が起動状態であることが確認された場合，前記選択された機器に映像信号の出力を指示するコマンドを送信する送信部と，を具備することを特徴とする。
【０００５】
本発明の一態様に係る機器制御方法は，映像信号を出力する機器を識別する識別情報を記憶する記憶部の記憶内容に基づいて，映像信号を出力する機器を選択するための機器選択画面を表示させるステップと，機器が起動状態，待機状態の何れであるかを確認するステップと，前記機器選択画面を用いて選択された機器が起動状態であることが確認された場合，前記選択された機器に映像信号の出力を指示するコマンドを送信するステップと，を具備することを特徴とする。
【発明の効果】
【０００６】
本発明によれば，機器の状態に応じて機器を制御するテレビジョン受像装置および機器制御方法を提供できる。
【発明を実施するための最良の形態】
【０００７】
以下，図面を参照して，本発明の実施の形態を詳細に説明する。
図１は，本発明の一実施形態に係るテレビジョン受像システム１００を表すブロック図である。テレビジョン受像システム１００は，テレビジョン受像装置１１０，リモコン１３０，アンテナ１４０，モニタ１５０，ＨＤＭＩスイッチ１６０，機器１７１〜１７３を有する。
【０００８】
テレビジョン受像装置１１０は，テレビジョン映像を受信し，モニタ１５０上に表示させる装置であり，チューナ１１１，録画部１１２，映像処理部１１３，制御部１１４，ＨＤＭＩ接続部１１５，ＩＲ受光部１１６を有する。
【０００９】
チューナ１１１は，アンテナ１４０で受信した電波から適宜のテレビジョン放送番組（例えば，ディジタル放送）を選択（選局）する。
録画部１１２は，チューナ１１１で選択されたテレビジョン放送を録画する。
【００１０】
映像処理部１１３は，チューナ１１１，録画部１１２，機器１７１〜１７３の間での映像信号の入出力を仲介すると共に，これらから出力される映像信号をモニタ１５０で表示可能な信号に変換する（信号処理）。
【００１１】
制御部１１４は，テレビジョン受像装置１１０を制御する制御部であり，ＣＰＵ(Central Processing Unit：中央制御装置)，記憶装置（例えば，半導体メモリ）の組み合わせから構成することができる。制御部１１４は，映像処理部１１３に映像制御信号およびＧＵＩ表示信号を出力する。映像制御信号は，映像処理部１１３でのテレビジョン放送信号の処理を制御するための信号である。ＧＵＩ表示信号は，ユーザが情報を入力するための画像（ＧＵＩ画像）をモニタ１５０上に表示させるための信号である。
【００１２】
制御部１１４は，ＨＤＭＩ接続部１１５とＣＥＣ制御線で接続され，ＨＤＭＩ−ＣＥＣ制御信号（コマンド（命令））を出力することで，ＨＤＭＩスイッチ１６０，機器１７１〜１７３を制御したり，これらの状態を確認したりすることができる。
制御部１１４は，ＩＲ受光部１１６からのユーザの入力情報を受け付ける。
【００１３】
制御部１１４は，機器接続情報記憶部１２１，状態確認部１２２，切替処理部１２３，表示制御部１２４を有する。
【００１４】
機器接続情報記憶部１２１は，テレビジョン受像装置１１０に接続されている機器１７１〜１７３の情報を記憶する。図２は，機器接続情報記憶部１２１の記憶内容の一例を表す模式図である。
【００１５】
「機器のＩＤ（識別子：Identifier）」，「機器の種別」，「切替時起動」が対応して表される。「機器の識別子」の欄には，機器１７１〜１７３を互いに識別する識別情報，例えば，機器１７１〜１７３のアドレスが挿入される。「機器の種別」の欄には，機器１７１〜１７３の種別，例えば，プレーヤ，レコーダ，チューナの何れであるかを表す情報が挿入される。「切替時起動」の欄には，映像信号を入力する機器１７１〜１７３を切り替える際に，待機状態の機器１７１〜１７３を起動（電源を投入）するか否かを表す切替時起動情報が挿入される。
【００１６】
これらの内，「機器の識別子」，「機器の種別」は，機器１７１〜１７３をＨＤＭＩスイッチ１６０に接続する際の接続処理の結果として，機器接続情報記憶部１２１に記憶される。また，「切替時起動」は，後述の機器の設定入力の結果として，機器接続情報記憶部１２１に記憶される。即ち，図２は，機器の設定入力後での機器接続情報記憶部１２１の記憶内容を表す。機器の設定入力前では，「切替時起動」の欄には，未設定であることを表す「−」が挿入される。
なお，図２には示されていないが，ＨＤＭＩスイッチ１６０も広義の機器であり，機器接続情報記憶部１２１に識別子等が記憶されているものとする。
【００１７】
状態確認部１２２は，接続されている機器１７１〜１７３が起動状態，待機状態の何れであるかを確認する。即ち，状態確認部１２２は，機器１７１〜１７３に状態（電源状態）の通知を指示するコマンドを送信し，機器１７１〜１７３からの応答コマンド（電源状態を通知するコマンド）を受信する。この結果，状態確認部１２２は，機器１７１〜１７３の状態を確認できる。
【００１８】
切替処理部１２３は，機器１７１〜１７３からの映像信号の入力を切り替える。この切替のため，切替処理部１２３は，切替コマンドを送信する。即ち，切替処理部１２３は，コマンドを送信する送信部として機能する。この切替コマンドは以下の（１）〜（３）を指示する。
【００１９】
（１）ＨＤＭＩスイッチ１６０に，映像信号の入力元の切替を指示する。即ち，切替コマンドは，機器１７１〜１７３の何れかを新たな入力元として選択するかを表わす。切替コマンドを受信したＨＤＭＩスイッチ１６０は，指定された入力元からの映像信号がテレビジョン受像装置１１０へと出力されるように，機器側端子と装置側端子の接続関係を切り替える。
【００２０】
（２）入力元として選択された機器１７１〜１７３に，映像信号の出力を指示する。この指示に応じて，選択された機器１７１〜１７３から映像信号が出力される。
【００２１】
（３）入力先として選択された機器１７１〜１７３に，待機状態の場合の起動を指示する。この指示に応じて，選択された機器１７１〜１７３が待機状態の場合，その機器１７１〜１７３が起動する。このため，後述のように，この切替コマンドの送信に先だって，状態確認部１２２によって機器１７１〜１７３の状態が確認される。
【００２２】
表示制御部１２４は，機器選択画面および起動選択画面をモニタ１５０に表示させる。機器選択画面は，映像信号の入力元として選択する機器１７１〜１７３を選択するためのＧＵＩ画面である。起動選択画面は，切替時に待機状態の機器１７１〜１７３を起動するか否か（起動の有無）を選択（切替時起動情報を設定）するためのＧＵＩ画面である。
【００２３】
ＨＤＭＩ接続部１１５は，ＨＤＭＩ規格に対応する機器と接続するためのインタフェースである。ＨＤＭＩ規格に対応する機器として，ＨＤＭＩスイッチ１６０，機器１７１〜１７３が直接的あるいは間接的に接続される。ＨＤＭＩ接続部１１５は機器１７１〜１７３と映像処理部１１３間での映像信号の入出力を仲介する。また，ＨＤＭＩ接続部１１５は，ＨＤＭＩスイッチ１６０，機器１７１〜１７３と制御部１１４間でのコマンドの入出力を仲介する。
【００２４】
ＩＲ受光部１１６は，ユーザの操作によるリモコン１３０からの赤外線（ＩＲ）発光を受光し，信号に変換して制御部１１４に出力する。
リモコン１３０は，ユーザの操作によって赤外線を発光し，テレビジョン受像装置１１０を制御するための遠隔制御装置である。
アンテナ１４０は，テレビジョン放送を含む電波を受信するためのものである。
モニタ１５０は，テレビジュン放送を表示するための表示装置，例えば，液晶表示装置，プラズマディスプレイである。
【００２５】
ＨＤＭＩスイッチ１６０は，複数の機器側端子，単一の装置側端子を有し，装置側端子に対して機器側端子を切り替え接続する。機器側端子，装置側端子に機器１７１〜１７３およびＨＤＭＩ接続部１１５（テレビジョン受像装置１１０）が接続される。制御部１１４からの切替コマンドにより，ＨＤＭＩスイッチ１６０は，複数の機器１７１〜１７３を選択してＨＤＭＩ接続部１１５に接続する。その結果，テレビジョン受像装置１１０への映像信号の入力元が切り替えられる。この切替のため，ＨＤＭＩスイッチ１６０は，機器１７１〜１７３の識別子と機器側端子との対応関係を表すテーブルを記憶する記憶部を有する。
なお，ここでは，ＨＤＭＩスイッチ１６０に３つの機器１７１〜１７３が接続されているが，この個数は適宜に変更できる。
【００２６】
機器１７１〜１７３は，映像信号を入力または出力する機器，例えば，ＨＤ−ＤＶＤプレーヤ，ＨＤ（ハードディスク）レコーダ，チューナである。機器１７１〜１７３は，制御部１１４からのコマンドにより，起動および映像出力等が制御される。
【００２７】
これらの機器１７１〜１７３は，ＯＮ状態（起動状態），ＯＦＦ状態（待機状態）の２通りの動作状態を取る。例えば，機器１７１〜１７３のプラグを電源コンセントに接続すると，ＯＦＦ状態となり，電源スイッチを押すことで，ＯＮ状態に移行する。
【００２８】
これら２つの状態は電源の状態，即ち，機器１７１〜１７３の消費電力と対応している。ＯＮ状態（起動状態）では，機器１７１〜１７３の全体で電力が消費され，本来の機能（例えば，再生機能，録画機能等）が発揮される。一方，ＯＦＦ状態（待機状態）では，機器１７１〜１７３の一部，例えば，ＨＤＭＩインタフェースのみで電力が消費され，主要部には電力が供給されない。このため，待機状態の機器１７１〜１７３は，本来の機能（例えば，再生機能，録画機能等）を発揮されない。但し，待機状態の機器１７１〜１７３でも，ＨＤＭＩ−ＣＥＣのコマンドにより，機器１７１〜１７３の起動，状態の確認等が可能である。
【００２９】
（テレビジョン受像システム１００の動作）
図３は，テレビジョン受像システム１００の動作手順の一例を表すフロー図である。
（１）機器の接続（ステップＳ１１）
最初はＨＤＭＩスイッチ１６０に機器１７１〜１７３が接続されていないとする。ＨＤＭＩスイッチ１６０に機器１７１〜１７３を接続すると，この接続が契機となって，制御部１１４が機器１７１〜１７３の存在を認識する。即ち，制御部１１４と機器１７１〜１７３との間で，コマンドがやり取りされることで，機器１７１〜１７３の識別子，機器の種別が制御部１１４に通知され，接続情報記憶部１２１に記憶される。なお，この時点では，「切替時起動」は設定されていない。
【００３０】
（２）切替時起動情報の設定（ステップＳ１２）
ユーザがリモコン１３０を操作し，機器１７１〜１７３の切替時起動情報（切替時に待機状態の機器１７１〜１７３を起動するか否かを表す情報）を設定（入力）する。
図４は，切替時起動情報を入力するためのＧＵＩ画面（起動選択画面）の一例を表す図である。
機器１７１〜１７３それぞれについて，切替時に電源を投入（起動）するか否かを設定することで，接続情報記憶部１２１の「切替時起動」の欄に「Ｙｅｓ」または「Ｎｏ」が挿入される（図２参照）。
【００３１】
（３）入力元とする機器の選択（ステップＳ１３〜Ｓ１５）
１）機器選択画面の表示（ステップＳ１３）
ユーザがリモコン１３０を操作することで，機器選択画面が表示される。
図５は，機器選択画面の一例を表す図である。機器選択画面は，映像信号の入力元として選択する機器を表す情報を入力するためのＧＵＩ画面である。
【００３２】
２）機器の状態の確認（ステップＳ１４）
機器１７１〜１７３の状態が確認される。即ち，制御部１１４から機器１７１〜１７３に状態（起動状態，待機状態）の通知を指示するコマンドが送信される。これに対する応答として，機器１７１〜１７３から制御部１１４に状態を通知するコマンドが送信されることで，機器１７１〜１７３の状態が制御部１１４に通知される。
【００３３】
なお，この確認は，切替コマンドの送信より前であれば，異なるタイミングで行える。例えば，機器選択画面の表示（ステップ１３）の前に，機器１７１〜１７３の状態を確認（ステップＳ１４）しても良い。
【００３４】
３）選択機器の入力（ステップＳ１５）
ユーザがリモコン１３０を操作することで，機器選択画面に表される機器１７１〜１７３のリストから機器１７１〜１７３の何れかが選択される。
【００３５】
（４）機器への切替コマンドの送信（ステップＳ１６〜Ｓ２１）
機器１７１〜１７３の状態等に応じて，切替コマンドの送信等がなされる。
１）選択された機器１７１〜１７３が起動状態の場合（ステップＳ１６，Ｓ１７）
起動状態の機器１７１〜１７３が選択された場合（ステップＳ１６），選択された機器１７１〜１７３に切替コマンドが送信される（ステップＳ１７）。この結果，切替スイッチ１６０が動作し，映像信号の入力元が選択された機器１７１〜１７３に切り替わる。また，選択された機器１７１〜１７３から映像信号が出力される。この結果，モニタ１５０に選択された機器１７１〜１７３からの映像が表示される。
【００３６】
選択された機器１７１〜１７３が起動状態であるため，待機状態の機器１７１〜１７３を不用意に起動することが防止される。選択された機器１７１〜１７３が待機状態の場合，ステップＳ１８において，切替時起動の設定の有無が判断される。
【００３７】
２）選択された機器１７１〜１７３が待機状態で，切替時起動情報が設定されている場合（ステップＳ１８，Ｓ１９）
この場合，切替時起動の設定に応じた処理がなされる（ステップＳ１９）。即ち，電源を投入”する”Ｙｅｓ）と設定した機器１７１〜１７３に対しては，切替コマンドを送信する。この結果，切替スイッチ１６０が切り替わり，選択された機器１７１〜１７３が起動され，かつ映像信号が出力される。一方，電源を投入”しない”（Ｎｏ）と設定した機器１７１〜１７３が選択された場合，切替コマンドが送信されず，モニタ１５０に表示される映像は切り替わらない。
【００３８】
３）選択された機器１７１〜１７３が待機状態で，切替時起動情報が設定されていない場合（ステップＳ２０，Ｓ２１）
この場合，ユーザが機器１７１〜１７３の電源の投入の有無を選択し，その選択に応じて切替コマンドが送信される。
【００３９】
このとき，モニタ１５０上に起動選択画面（切替許諾画面）が表示される。
図６は，起動選択画面の一例を表す図である。起動選択画面は，機器１７１〜１７３の起動の有無（電源の投入の有無）を表す情報を入力するためのＧＵＩ画面（機器１７１〜１７３の電源を投入することの許諾を求めるためのＧＵＩ画面）である。ユーザが、”はい”を選択すると機器１７１〜１７３が起動され，モニタ１５０に映像が表示される。ユーザが”いいえ”を選択すると，切替コマンドは送信されず，切り替え処理は行われない。
【００４０】
以上のように，テレビジョン受像システム１００では，テレビジョン受像装置１１０に接続されている機器１７１〜１７３の状態（電源状態）を確認し、機器１７１〜１７３の切り替え時に無条件で電源が投入されてしまうことを防止できる。この結果、消費電力軽減および視聴者の意図に反した電源投入防止立が可能となる。
【００４１】
（その他の実施形態）
本発明の実施形態は上記の実施形態に限られず拡張，変更可能であり，拡張，変更した実施形態も本発明の技術的範囲に含まれる。
【図面の簡単な説明】
【００４２】
【図１】本発明の一実施形態に係るテレビジョン受像システム１００を表すブロック図である。
【図２】機器接続情報記憶部の記憶内容の一例を表す模式図である。
【図３】テレビジョン受像システムの動作手順の一例を表すフロー図である。
【図４】切替時の起動有無の設定情報を入力するための画面の一例を表す図である。
【図５】機器選択画面の一例を表す図である。
【図６】起動選択画面の一例を表す図である。
【符号の説明】
【００４３】
１００…テレビジョン受像システム，１１０…テレビジョン受像装置，１１１…チューナ，１１２…録画部，１１３…映像処理部，１１４…制御部，１１５…ＨＤＭＩ接続部，１１６…ＩＲ受光部，１２１…機器接続情報記憶部，１３０…リモコン，１４０…アンテナ，１５０…モニタ，１６０…ＨＤＭＩスイッチ，１７１-１７３…機器
【図１】
2008301232.tif 000003
【図２】
2008301232.tif 000004
【図３】
2008301232.tif 000005
【図４】
2008301232.tif 000006
【図５】
2008301232.tif 000007
【図６】
2008301232.tif 000008